(57)【要約】  本発明は、車内の移動電話（３０）に接続されている以下の構成要素を含む装置（１０）に関する。構成要素とはつまり、順序リストに配列されている複数の項目を含むメモリ要素（２２）、項目選択ポインタをインクリメントまたはデクリメントするためにユーザによって操作する（２６）ことができる２方向回転ボタン（１４）を含む選択手段（２４）、およびメモリ要素内の項目に応じて予め定められた動作を実行することができるプロセッサ手段である。また、本発明は、ポインタのインクリメントまたはデクリメントに応答して選択された項目の有声表現である可聴メッセージを生成することができる音響手段（２０）も含む。さらに、回転ボタンを押す（２８）ことによって稼働させることができる一時的な接触など、確認手段（２４）を使用して、対応する動作の実行をトリガするこ
2007518328.tif 000002
【特許請求の範囲】
【請求項１】
階層的ディレクトリ内でオプションを検索し選択する、特に車内での移動電話（３０）のディレクトリ内の番号を検索し選択するためのインターフェイスを形成する装置（１０）であって、
順序リストとして順序付けられた複数の前記オプションを含むデータ・メモリ（２２）と、
前記リストの前記オプションのうちの１つを選択するポインタと、
前記ユーザによって制御された操作に応答して前記ポインタをインクリメントまたはデクリメントするのに適したセレクタ手段（２４）と、
前記データ・メモリ内の前記オプションに応じて１組の予め定められた動作を実行するのに適したプロセッサ手段と
備え、
前記ポインタがインクリメントまたはデクリメントされるのに応答して前記ポインタによって選択された前記オプションの有声表現を構成する可聴メッセージを前記ユーザに送信するのに適した音響手段（２０）と、
前記ポインタによって選択された前記オプションを読み取り、前記対応する動作を実行する前記プロセッサ手段に前記オプションを転送するのに適した、前記ユーザによって操作することができる確認手段（２４）と
をさらに含むことを特徴とし、前記セレクタ手段は、前記ユーザによって操作（２６）することができる２方向回転ノブ（１４）を含み、前記確認手段は、前記回転ノブを押す（２８）ことによって稼働することができる一時的な接触を含む装置。
【請求項２】
前記ポインタによって選択された前記オプションを表示するためのディスプレイ手段（１２）をさらに備える請求項１に記載の装置。
【請求項３】
前記ディスプレイ手段（１２）が、前記リスト内の直前および／次のオプションのうちの少なくとも１つをさらに表示するよう動作する請求項２に記載の装置。
【請求項４】
前記オプションが名前を含み、
電話番号が各オプションに関連付けられており、
前記プロセッサ手段によって実行される前記動作が、前記対応する電話番号をダイヤルすることである
請求項１に記載の装置。
【請求項５】
前記オプションがアルファベットの文字を含み、
前記プロセッサ手段によって実行される前記動作が、前記選択された文字で始まる最初の名前に前記ポインタを配置することである
請求項４に記載の装置。
【請求項６】
前記オプションが、コマンド・メニュー・タイトルまたは低レベル・メニューのタイトルを含み、
前記プロセッサ手段によって実行される動作が、前記対応するコマンドを実行すること、または前記対応する低レベル・メニューを選択することである
請求項１に記載の装置。
【発明の詳細な説明】
【技術分野】
【０００１】
本発明は、電話番号のダイヤル呼び出しを助ける装置に関し、より詳細には、携帯電話などの機器を制御するためにメニューの階層をナビゲートするのを助けることに関する。
【背景技術】
【０００２】
電話番号は、通常、操作されるとユーザがディスプレイ上に提示されているリスト（名前のリスト、電話番号のリスト、メニュー項目のリスト）内で選択を行うことができるようにするキーパッドおよびディスプレイから、またはセレクタ装置（矢印キーやスクロール・ホイールなど）を使用してダイヤルされる。
【０００３】
それにも関わらず、特に自動車内での電話で、電話が車両に組み込まれていようと、移動電話が「カー・キット」とともに、すなわち特に「ハンズフリー」運転モードを提供するよう働く移動無線電話用のカー・アダプタとともに車両内で使用されていようと、ディスプレイを使用するのが望ましくないときや、不可能であるときさえある。
【０００４】
こうした状況下では、ユーザがドライバであるとき、ドライバがディスプレイを見ることによってドライバの注意および視界がそれるのを避けることが必要である。
【０００５】
さらに、一般にディスプレイは小さいため、ユーザが電話に近づいたり（コードレス装置の場合）、ディスプレイに近づいたり（ダッシュボードに組み込まれている場合）しない限り読み取りにくいが、どんな状況であれ、これらは危険で、回避すべき動作である。
【０００６】
１つの解決策は、例えばＷＯ−Ａ−９８／４５９９７（Ｐａｒｒｏｔ）に記載されている音声認識システムを提供することである。無線電話が受け台に置かれているとき、車両に組み込まれたアダプタが電話機能の管理を引き受け、次いで、音声コマンドおよび／または単一制御ボタンを一時的に押す（シングルまたはダブル・クリック）ことによってこれらの機能を動作することができる。したがって電話の受話器を取る、第三者の番号を探す、その番号をダイヤルするなどの機能を、簡単で有効なやり方で管理することができる。
【０００７】
他の音声制御された電話システムは、ＵＳ−Ａ−６  ０２９  ０７２、ＵＳ−Ａ−２００３／１１４２０２、ＵＳ−Ａ−２００２／１９７９５４に記載されている。
【０００８】
それにも関わらず、こうした装置は、音声認識を使用するため、各第三者の名前や各コマンドと関連付けられている声紋を記録するためだけにでも、事前訓練を必要とする。したがってこうした装置では、名前またはコマンドのすべてが前もって記録されていなければならず、これは、機器を使用しそうな各人に必要である。様々な話者がいるのと同じぐらい多くの声紋があり、したがってこうした機器の使用は、少数の個人に制限される。
【０００９】
【特許文献１】ＷＯ−Ａ−９８／４５９９７
【特許文献２】ＵＳ−Ａ−６  ０２９  ０７２
【特許文献３】ＵＳ−Ａ−２００３／１１４２０２
【特許文献４】ＵＳ−Ａ−２００２／１９７９５４
【特許文献５】ＥＰ−Ａ−１  ３６３  ４４３
【発明の開示】
【発明が解決しようとする課題】
【００１０】
本発明の目的の１つは、上記の装置のように、ユーザがディスプレイを見る必要がなく、しかし、音声認識システムを頼ることなく、かつ／または訓練を行った人以外の人による使用、または番号を安全にダイヤルするために訓練を行ったが対応する声紋を忘れた人による使用、または、例えば車両の後方にいる若い乗客から発せられる高レベルの雑音のあるところなど、音声認識システムを使用することができない状況で声紋を実際に使用するなど、特殊な状況下で実施することができる電話セレクタ装置を提案することである。
【課題を解決するための手段】
【００１１】
知られているやり方では、本発明の装置は、順序リストとして順序付けられた複数の前記オプションを含むデータ・メモリと、リストのオプションのうちの１つを選択するポインタと、ユーザによって制御された操作に応答してポインタをインクリメントまたはデクリメントするのに適したセレクタ手段と、データ・メモリ内のオプションに応じて１組の予め定められた動作を実行するのに適したプロセッサ手段とを含む。
【００１２】
本発明の特徴を示すやり方では、装置は、前記ポインタがインクリメントまたはデクリメントされるのに応答してポインタによって選択されたオプションの有声表現を構成する可聴メッセージをユーザに送信するのに適した音響手段と、ポインタによって選択されるオプションを読み取り、対応する動作を実行するプロセッサ手段に前記オプションを転送するのに適した、ユーザによって操作することができる確認手段とをさらに含む。セレクタ手段は、ユーザによって操作することができる２方向回転ノブを含み、そして確認手段は、回転ノブを押すことによって稼働することができる過渡時的な接触（transient contact）を含む。
【００１３】
装置は、ポインタによって選択されたオプションを表示し、好ましくはリスト内の次および／または前のオプションのうちの少なくとも１つをさらに表示する手段をさらに含み得る。
【００１４】
これらのオプションは、
・名前を含み、電話番号が各オプションに関連付けられており、次いでプロセッサ手段によって実行される動作は、対応する電話番号をダイヤルすることである。
・アルファベットの文字を含み、次いでプロセッサ手段によって実行される動作は、選択された文字で始まる最初の名前上にポインタを置くことである。
・制御メニューのタイトルまたは低レベル・メニューのタイトルを含み、次いでプロセッサ手段によって実行される動作は、対応するコマンドを実行すること、または低レベルの対応するメニューを選択することである。
次に、添付の図面を参照して、本発明の装置の一実施形態について説明する。
【発明を実施するための最良の形態】
【００１５】
上述したように、本発明の好ましい用途は、車内で使用される無線電話のもの、特に「カー・キット」、すなわち特に無線電話に「ハンズフリー」操作を提供するよう働くカー・アダプタである。それにも関わらず、この用途は非制限であり、本発明は、カー・ラジオ、オンボード・コンピュータ、ナビゲーションの援助を提供する機器など、車両に取り付けられている、またはそれに恒久的に内蔵されている他の多数の機器または回路に有用に適用することができる。
示した例では、本発明の装置は、図１に示された形をとる。
【００１６】
ハウジング１０は、オプションで車両のダッシュボードに組み込まれており、ディスプレイ１２、ローレック・ノブ１４、および通常携帯電話にある緑色および赤色のキー（緑色＝受話器を取る／ダイヤル、赤＝電話を切る／取り消し）に似た２つのキー１６および１８を備えている。ハウジング１０は、可聴メッセージをユーザに再生する拡声器などの変換器２０も含む。
【００１７】
図２のブロック図に示されように、装置１０は、接触器２４を介して、入力として、動かされているノブ１４についての情報を受信する回路２２を内蔵する。ノブは、その軸を中心に一方向または逆方向（矢印２６）に回転されることによって、また「クリック」（矢印２８）を実行するように一時的に軸への圧力が課されることによって操作することができる。
【００１８】
装置１０は、移動電話インターフェイス３０である。装置１０と電話３０との間の接続は、様々な既知の方法で実施することができる。これは、ＥＰ−Ａ−１  ３６３  ４４３（Ｐａｒｒｏｔ）に記載されているように、電話を受け、車両に組み込まれた汎用ユニットに接続される架台システムによって構成される。変形体では、また有利には、電話３０は、Ｂｌｕｅｔｏｏｔｈ（登録商標）タイプの接続など、無線接続を介して装置１０の回路２２に接続される。Ｂｌｕｅｔｏｏｔｈ（登録商標）仕様は、双方向無線リンクを介して移動電話の機能のすべてをリモートで制御するオプションに対応している。こうした機能には、受話器を取る、受話器を置く、ダイヤル呼び出し、メニューのナビゲーション、ディレクトリのナビゲーションなどがあり、移動電話の制御はすべてリモートで引き継がれ、そのキーパッドから完全に引き継ぐ。
【００１９】
したがってユーザが使用可能なコマンドは、ノブ１４（回すおよび押す）および２つのキー１６および１８に制限される。この例に記載されたディスプレイ１２は、補助機能のみを有しており、本質的に、音響手段と、制御１４、１６、および１８とのみを併用する本発明の実施には関与していないことに注目されたい。ディスプレイ１２は、音響メッセージの視覚的な喚起としてのみ働くので、例えばユーザが道路から目を離し、画面を見るのが危険ではないときに、より迅速にナビゲートするために、ユーザが音響メッセージを考慮に入れることなく機器を使用する必要がある。
【００２０】
次に、図３のフロー・チャートを参照して、この装置がどのように使用されるかについて説明する。
【００２１】
キー１６および１８は、従来の移動電話の緑色および赤色のキーと同じであり、受話器を取ること、および受話器を置くことを制御するよう働き、本発明を実施するのにそれ自体は必須ではないため、それらの使用については記載されていない。
【００２２】
装置を稼働させるために、ユーザはノブ１４をクリック（工程３２）し、すなわち一時的にそれを押し、それによってポインタを制御して、例えば「ダイヤル」／「ディレクトリ」／「設定」／「メッセージ」など複数の機能から１つの電話機能を選択するためのメニューなどのメニューから第１の項目を選択する（工程３４）効果が得られる。
【００２３】
対応するメニュー項目、例えば「ディレクトリ」は、次いで、変換器２０を介して再生される音響メッセージの形で音声合成装置（voice synthesis device）によって発音される（工程３６）。音響メッセージは、構成されている間に装置に録音された予め録音されたメッセージ、あるいはメニュー項目のテキストから音声合成用のソフトウェアによって合成されたメッセージとすることができる。すなわち、「ディレクトリ」という言葉は、大声で読まれるべきアルファベットの文字列であり、一連の音節に細分され、次いで適切な音声合成ソフトウェアによって合成されると考えられる。音響メッセージは、音声認識システムによって録音された声紋とすることもできる。
次いで装置は、ノブ１４への動作を待つ（工程３８）。
【００２４】
ノブが一方向または逆方向に回された場合、必要に応じて、同じメニュー内の前の項目または次の項目を選択するように、ポインタがインクリメントまたはデクリメントされる（工程４０、４２）。次いで新しくポイントされた項目は、例えばノブ１４の新しい動きが検出される（工程３８）まで発音される（工程３６）。
【００２５】
図２の左側の１２に示されているように、ディスプレイは、様々な項目のリスト、またはこうしたリストの少なくとも一部分を示しており、例えば項目の周りにボックスを描くことによって、ポインタによって現在示されている特定の項目を強調表示している。
【００２６】
ユーザがノブ１４を押すことによってメニューから「ディレクトリ」項目を選択した（工程４４）場合、装置は、最初は名前の最初の文字に対してアルファベット順でソートされているディレクトリから、続いてある文字で始まる名前のすべての中から名前を選択する立場にある。
【００２７】
装置は、アルファベットの最初の文字、またはディレクトリ内に存在する名前の少なくとも最初の文字を指すことによって開始する（工程４６）。この文字は、ユーザによって聞き取ることができるように発音される（工程４８）。
【００２８】
次いでユーザは、アルファベットの次の文字または直前の文字に進む（工程５２、５４）ためにノブ１４を一方向または逆方向に回し、その文字は、選択された後で発音される（工程４８）。したがってユーザは、「Ｄ」など、選択すべき名前の最初の文字に到達するまでノブ１４を回すことによって非常に迅速にアルファベットをスキャンすることができる。
【００２９】
文字を選択するこの段階中、図２の中央の１２’に示されているように、ディスプレイは、選択された文字が枠に囲まれて強調表示されている状態でアルファベットのすべてまたは一部を示している。
【００３０】
ユーザが所望の文字を見つけると、ノブ１４を押すことによって、この文字で始まる名前のリスト内で最初の名前をポインタに選択させる効果が得られる（工程５６）。次いでこの名前は、聞こえるように発音される（工程５８）。次いでユーザは、リストの次の名前または直前の名前に進む（工程６２、６４）ためにノブ１４を一方向または逆方向に回すことができ、新しい名前は、選択された後で発音される（工程５８）、以下同様。したがってユーザは、選択すべき名前を聞くまでノブ１４を回すことによってリストを非常に迅速にスキャンすることができる。
【００３１】
名前を選択するこの段階中、図２の右側の１２’’に示されているように、ディスプレイは、選択された名前が枠によって強調表示されている状態でリストのすべてまたは一部分を示している。
【００３２】
名前が選択されると、ノブ１４を最終的に押す（工程６６）ことによって、またはダイヤル／応答の緑色ボタン１８を押すことによってその名前に関連付けられている番号がダイヤルされる。
理解できるように、多数の変形実装形態を思い浮かべることができる。
【００３３】
したがって、名前のリストが短いとき、アルファベット選択工程（工程４６から５４）を省略し、「ディレクトリ」機能が選択されると、ノブ１４を回して名前のリストを直接スキャンすることがより簡単となり得る。
【００３４】
同様に、呼び出し中、ノブ１４を回すことによって、会話中に音量レベルを変えるなど、他の一部の機能を実行することができる。
【図面の簡単な説明】
【００３５】
【図１】本発明の装置の外観を示す略図である。
【図２】画面上に再生され得るディスプレイの種類の例を示す、装置、および装置がインターフェイス接続される電話のブロック図である。
【図３】装置がどのように使用されるかを示すフロー・チャートである。
【図１】
2007518328.tif 000003
【図２】
2007518328.tif 000004
【図３】
2007518328.tif 000005
【国際調査報告】
2007518328.tif 000006
2007518328.tif 000007
2007518328.tif 000008
2007518328.tif 000009